(57)【要約】【課題】介護者及び患者自身が使いやすく、容体内に水を満たしておいても、使用中に水をこぼすことが極力回避される吸い飲み器、を提供することを課題とする。【解決手段】容体１と、それにネジ付けられる栓体２と、注水口４を有していて前記栓体２に回転自在且つ所定範囲において上下方向に摺動可能に取り付けられるヘッド３とから成り、前記ヘッド３を前記栓体２に対して押すことにより前記ヘッド３内の通水口が閉じられ、前記ヘッド３を前記栓体２から引き上げることによって前記通水口が開かれる栓機構を備えることを特徴とする。【選択図】　　　　図２
2004136013.tif 000002
【特許請求の範囲】
【請求項１】
容体と、それにネジ付けられる栓体と、注水口を有していて前記栓体に回転自在且つ所定範囲において上下方向に摺動可能に取り付けられるヘッドとから成り、前記ヘッドを前記栓体に対して押すことにより前記ヘッド内の通水口が閉じられ、前記ヘッドを前記栓体から引き上げることによって前記通水口が開かれる栓機構を備えることを特徴とする吸い飲み器。
【請求項２】
前記容体の側面の一部を非膨出化した請求項１に記載の吸い飲み器。
【請求項３】
前記ヘッドの下部を、前記栓体上面に形成した支持筒が進入する二重筒部とし、前記支持筒と前記二重筒部に、連係して上下方向の動きを規制する係止手段を設けた請求項１又は２に記載の吸い飲み器。
【発明の詳細な説明】
【０００１】
【発明の属する技術分野】
本発明は吸い飲み器、より詳細には、患者が自ら、あるいは、介護者が、自力で自由に水を飲むことができない患者等の要介護者に水を飲ませるために用いる吸い飲み器に関するものである。
【０００２】
【従来の技術】
現在、介護者が要介護者に水を飲ませる場合に用いる吸い飲み器としては、一般に、図６に示されるような、容体３０に注ぎ口３１を設けた形状のものが用いられている。この吸い飲み器は、言うまでもなく、蓋３２を取って容体３０内に水を入れた後蓋３２をし、注ぎ口３１を要介護者の口に入れ、容体３０を持ち上げて注水する。
【０００３】
この従来の吸い飲み器の場合、慣れないと、注ぎ口３１を口元に持っていく前に水をこぼしてしまう。これは容体３０内に水を入れ過ぎているからであるが、従来の吸い飲み器の場合は、注ぎ口３１の先端高さが容体３０内の水面高さに近いという構造上、少し傾けただけで注水されてしまうので、容体３０に付されている水量目盛に合わせたとしても、この入れ過ぎ状態となってしまうのである。
【０００４】
また、従来の吸い飲み器の場合は、注水時における水勢が強いためにこぼしたり、一度に飲ませ過ぎたりすることがあり、更に、吸い飲み器を倒してこぼしてしまうこともある。
【０００５】
【発明が解決しようとする課題】
上述したように従来の吸い飲み器には多くの問題点があったので、本発明はそのような問題のない、即ち、介護者及び患者自身が使いやすく、容体内に水を満たしておいても、使用中に水をこぼすことが極力回避される吸い飲み器を提供することを課題とする。
【０００６】
【課題を解決するための手段】
上記課題を解決するための本発明に係る吸い飲み器は、容体と、それにネジ付けられる栓体と、注水口を有していて前記栓体に回転自在且つ所定範囲において上下方向に摺動可能に取り付けられるヘッドとから成り、前記ヘッドを前記栓体に対して押すことにより前記ヘッド内の通水口が閉じられ、前記ヘッドを前記栓体から引き上げることによって前記通水口が開かれる栓機構を備えることを特徴とする。
【０００７】
好ましくは前記容体の側面の一部を非膨出化し、また、前記ヘッドの下部を、前記栓体上面に形成した支持筒が進入する二重筒部とし、前記支持筒と前記二重筒部に、連係して上下方向の動きを規制する係止手段を設ける。
【０００８】
【発明の実施の形態】
本発明の実施の形態を添付図面に依拠して説明する。図１は本発明に係る吸い飲み器の外観図、図２はその分解斜視図で、図中１は容体、２は栓体、３は注水口４を有するヘッドであり、通例、いずれもプラスチック製である。
【０００９】
一般的なこの種の容体は、全体的に外側に膨出した形状となっているが（図６参照）、本発明における容体１は、一部（図１において左側面）が膨みを欠いた非膨出部５となっていて、好ましくは、使用時にその方向に注水口４が向けられる。栓体２はメネジ部６を有しており、メネジ部６は、容体１の上面に形成されたオネジ部７にネジ付けられる。
【００１０】
栓体２のメネジ部６上面には支持筒８が立設され、支持筒８の外周面中間部に突条９が周設されると共に、外周面上端部に、ストッパー１０が周設される。また、支持筒８の底部に、側面から延びる支持アーム１１が放射状に配備され、その中心に栓１２が立設される。
【００１１】
ヘッド３の下部は二重筒部１３となっていて、二重筒部１３の内外筒間に支持筒８が進入する。二重筒部１３の外筒の内側には突条１４が形成される。また、二重筒部１３の頭面には、栓１２によって開閉される通水口１５が形成される。
【００１２】
栓体１２とヘッド３は、可動状態にて一体化される。即ち、支持筒８を二重筒部１３の内外筒間に差し入れ、栓体２に対してヘッド３を押し込むと、突条１４がストッパー１０を越えるに至り、以後突条１４がストッパー１０に係止されて抜けなくなる。その後、ヘッド３にある程度の力を加えると、突条１４は突条９を乗り越え、突条９に係止される（図４の状態）。この状態において通水口１５は栓１２によって閉塞される。
【００１３】
この状態からヘッド３をある程度の力で引き上げると、突条１４は突条９を乗り越え、突条９とストッパー１０間の範囲内で上下に摺動可能となり、所望位置に停止させることができる（図５の状態）。この状態において通水口１５は開口され、通水可能状態となる。なお、上記いずれの状態においても、ヘッド３は栓体２に対し、水平方向に回転自在となる。
【００１４】
この図示した栓機構は、あくまで本発明において採用し得る栓機構の一例であって、押し引き動作によって通水口を開閉する機構はこれに限らず、その他にも種々考えられる。
【００１５】
上記構成の吸い飲み器は、メネジ部６を回すことによって容体１から栓体２及びヘッド３を外し、容体１内に水を充填する。その充填量の多少は問わない。充填後栓体２及びヘッド３を戻す。
【００１６】
使用に当っては、ヘッド３を引き上げて通水口１５を開き、注水口４を患者の口に当てがって容体１を持ち上げる。その際、ヘッド３の引き上げ具合を調整することにより、注水量、換言すれば、水勢を加減することができる。また、ヘッド３は栓体２に対して３６０度回転可能であるので、注水口４はどの方向に向けることもできる。使用後ヘッド３を下まで押しておけば、通水口１５が閉塞されるので、倒しても残り水がこぼれるおそれがない。
【００１７】
なお、本発明に係る吸い飲み器においては、注水口４の先端位置が高いため、容体１をある程度傾けないと、注水できない。そのため不用意にこぼすことは少なくなるが、残量が少なくなると、逆に容体１から注水しにくくなって容体１内に水が残りやすくなる。
【００１８】
しかるに、容体１の一部に非膨出部５を設けたときは、その方向に注水口４を向けて使用すれば、そこに水が止まりにくいために残量が少なくなっても注水に支障がなく、また、残りにくくなる。
【００１９】
【発明の効果】
本発明は上述した通りであって、介護者及び患者自身が使いやすく、容体内に水を満たしておいても、使用中に水をこぼすことが極力回避され、残量が少なくなっても注水しやすく、且つ、水が残りにくいといった効果がある。
【図面の簡単な説明】
【図１】本発明に係る吸い飲み器の外観図である。
【図２】本発明に係る吸い飲み器の分解斜視図である。
【図３】図２におけるＡ−Ａ線視図（栓体の平面図）である。
【図４】本発明に係る吸い飲み器における栓機構の動作を示す図（閉栓時）である。
【図５】本発明に係る吸い飲み器における栓機構の動作を示す図（開栓時）である。
【図６】従来の吸い飲み器の形状例を示す図である。
【符号の説明】
１　　容体
２　　栓体
３　　ヘッド
４　　注水口
５　　非膨出部
６　　メネジ部
７　　オネジ部
８　　支持筒
９　　突条
１０　　ストッパー
１１　　支持アーム
１２　　栓
１３　　二重筒部
１４　　突条
１５　　通水口
【図１】
2004136013.tif 000003
【図２】
2004136013.tif 000004
【図３】
2004136013.tif 000005
【図４】
2004136013.tif 000006
【図５】
2004136013.tif 000007
【図６】
2004136013.tif 000008